(57)【要約】【課題】像保持体表面に付着した放電生成物等の付着物の除去性能と像保持体の磨耗ライフとの両立を容易に可能とする。【解決手段】回転ブラシ２００もブラシ層２１６のブラシ毛２１８の腰の力を利用して圧接力をかけるのではなく、弾性体層２１４の歪みで（弾性力）で圧接力をかけるような構成となっているからである。つまり、ブラシ層２１６のブラシ毛２１８は掻き取り機能を主とし、弾性体層２１４は圧接機能を主とするように、機能分離させている。したがって、感光体１２の表面に付着した放電生成物等の付着物の除去性能と像保持体の磨耗ライフとの両立が容易に可能とされる。【選択図】図２
2008309847.tif 000002
【特許請求の範囲】
【請求項１】
回転する像保持体と、
前記像保持体の表面を帯電する帯電手段と、
前記帯電手段によって帯電された前記像保持体に静電潜像を形成する情報書き込み手段と、
前記情報書き込み手段によって形成された静電潜像を現像剤によって可視化し、現像剤を形成する現像手段と、
現像剤像を被転写体に転写させる転写手段と、
前記転写手段の下流側かつ前記帯電手段の上流側に配設され、前記像保持体に押し当てられると共に回転される回転ブラシと、
を有し、
前記回転ブラシは、前記像保持体に接触するブラシ毛を有するブラシ層の下層に弾性体層を有することを特徴とする画像形成装置。
【請求項２】
前記像保持体に押し当てられる前の状態における前記回転ブラシの前記ブラシ層の層厚と前記弾性体層の層厚とを合わせた総層厚をａ、前記ブラシ層のブラシ毛の高さをｂとし、
前記像保持体に押し当てられた状態における前記回転ブラシのニップ部の前記ブラシ層の層厚と前記弾性体層とを合わせた総層厚をｃとすると、
ｂ＜ａ−ｃであることを特徴とする請求項１に記載の画像形成装置。
【請求項３】
前記回転ブラシのブラシ層におけるブラシ毛は、斜毛処理されていることを特徴とする請求項１又は請求項２に記載の画像形成装置。
【請求項４】
前記回転ブラシのブラシ層におけるブラシ毛は、捲縮処理されていることを特徴とする請求項１又は請求項２に記載の画像形成装置。
【請求項５】
前記回転ブラシに接触する回収ロールを有し、
前記回転ブラシは、前記像保持体に残留する残留現像剤を除去し、
前記回収ロールは、前記回転ブラシによって除去された残留現像剤を回収することを特徴とする請求項１〜請求項４のいずれか１項に記載の画像形成装置。
【請求項６】
前記像保持体は、架橋樹脂からなる表面層を有することを特徴とする請求項１〜請求項５のいずれか１項に記載の画像形成装置。
【請求項７】
像保持体に押し当てられると共に回転され、前記像保持体に接触するブラシ毛を有するブラシ層の下層に弾性体層を有することを特徴とする回転ブラシ。
【請求項８】
前記像保持体に押し当てられる前の状態における前記ブラシ層の層厚と前記弾性体層の層厚とを合わせた総層厚をａ、前記前記ブラシ層のブラシ毛の高さをｂとし、
前記像保持体に押し当てられた後の状態におけるニップ部の前記ブラシ層の層厚と前記弾性体層とを合わせた総層厚をｃとすると、
ｂ＜ａ−ｃとして使用されることを特徴とする請求項７に記載の回転ブラシ。
【請求項９】
前記ブラシ層におけるブラシ毛は、斜毛処理されていることを特徴とする請求項７又は請求項８に記載の回転ブラシ。
【請求項１０】
前記ブラシ層におけるブラシ毛は、捲縮処理されていることを特徴とする請求項７又は請求項８に記載の回転ブラシ。
【請求項１１】
架橋樹脂からなる表面層を有する前記像保持体に押し当てられることを特徴とする請求項７〜請求項１０のいずれか１項に記載の回転ブラシ。
【発明の詳細な説明】
【技術分野】
【０００１】
本発明は、画像形成装置、及び回転ブラシに関する。
【背景技術】
【０００２】
画像形成装置において、転写されずに感光体に残留した転写残留トナーを、回転ブラシによって、クリーニングする構成が知られている（例えば、特許文献１を参照）。
【０００３】
さて、感光体に接触させる接触帯電装置、特に、直流電圧に交流電圧を重畳した帯電バイアスを印加する接触帯電装置では、感光体に対して直接放電を行なっているため、多量の放電生成物が発生し、感光体の表面に付着する。このため、高温高湿環境では画像の白抜け（Ｄｅｌｅｔｉｏｎ）が問題となることがある。また、コロナ放電を用いたスコロトロン帯電器を用いた場合においても、同様に多量の放電生成物が発生して感光体に付着し、高温高湿環境において、画像の白抜けが問題となることがある。
【０００４】
このため、感光体に付着した放電生成物を除去する必要がある。そして、特許文献１のような回転ブラシが転写残留トナーを除去すると共に、感光体に付着した放電生成物も除去する構成が考えられる。
【０００５】
このような回転ブラシで放電生成物を除去する場合、回転ブラシの先端力を高くさせると、放電生成物の除去能力は高くなるが、感光体の磨耗が多くなりすぎ、感光体の寿命（磨耗ライフ）が短くなってしまう。したがって、放電生成物の除去能力と感光体の磨耗ライフとが両立する（両者のバランスが取れた）先端力とする必要がある。
【０００６】
さて、表面層（オーバーコート層（ＯＣＬ））として硬化膜層を有しない感光体は、表面の硬度が比較的軟らかいため感光体の表面が削れ易い。よって、回転ブラシの先端力が比較的小さくとも放電生成物を除去することができる。
【０００７】
一方、表面層（オーバーコート層（ＯＣＬ））として硬化膜層を有する硬い感光体は、表面層（硬質膜層）が硬いため削れにくい。したがって、回転ブラシの先端力が弱いと放電生成物が除去されにくいので、回転ブラシの先端力を比較的（ある程度以上）高くしないと放電生成物が除去されない。
【０００８】
よって、表面層として硬化膜層を有しない感光体の場合は、放電生成物の除去能力と感光体の磨耗ライフとが両立する（バランスが取れた）最適な回転ブラシの先端力は、比較的弱く、これに対して、表面層に硬化膜層を有する感光体の場合は、最適な回転ブラシの先端力はこれよりも高くなる。
【０００９】
図７、図８のグラフは、硬化膜層（表面層）を有しない感光体（図７）と硬化膜層（表面層）を有する感光体（図８）とでの、それぞれの、Ｄｅｌｅｔｉｏｎ  レベル（Ｇ０：未発生←→Ｇ５：真っ白に抜ける）と感光体の磨耗レートとの関係を示している。これらを見ると判るように、前述したように、図７に示す硬化膜層を有しない感光体は、先端力が約０．０５ｇｆ／ｍｍ以上でＤｅｌｅｔｉｏｎが未発生になるのに対して、図８に示すように、硬化膜層を有する感光体では先端力が約０．１ｇｆ／ｍｍ以上でＤｅｌｅｔｉｏｎが未発生になる。
【００１０】
つまり、硬化膜層を有しない感光体の場合は、最適な回転ブラシの先端力は、比較的弱く、これに対して、表面層に硬化膜層を有する感光体の場合は、最適な回転ブラシの先端力はこれよりも高いことが判る。
【００１１】
一方、図９のグラフは、導電性のナイロン（登録商標）を用いた特許文献１のような回転ブラシにおける食込み量と先端力との関係を示している。
【００１２】
このグラフを見ると判るように、デニール（繊維太さに相当）が大きく、また、ＰＨ（パイルハイト：毛の長さを表す）が小さい場合に、食い込み量が大きくなるにつれて先端力が大きくなっている。つまり、食い込み量に対する先端力の感度が高い。また、図示しないが密度が高い場合にも同様の傾向を示すことが知られている。
【００１３】
一般的に、回転ブラシの製造誤差によるブラシ外形のバラツキや取り付け位置の誤差などによって、食込み量に±２５０μｍ程度のバラツキが生じる。つまり、一般的な精度（部品精度や取付精度など）で構成された場合における回転ブラシの食込み量は、±２５０μｍ程度のバラツキが生じる。そして、このように回転ブラシの食い込み量にバラツキが生じると、先端力にもバラツキが生じ、回転ブラシによる感光体表面の付着物の除去性能にもバラツキが生じる。
【００１４】
図９における、０．５ｄ、４８６Ｋｆ/ｉｎｃｈ２、０．５ｄ、ＰＨ２．５ｍｍの回転ブラシ（図中の「---◇---」で示すグラフ）で説明すると、前述したように硬化膜層を有しない感光体の場合は、最適な先端力が０．０５ｇｆ／ｍｍと、比較的小さい値である（図７参照）。そして、この最適値付近における食込み量に対する先端力の感度は低いので、一般的な食い込み量のバラツキ（±２５０μｍ）では、先端力のバラツキは比較的に小さいので感光体の磨耗への影響も比較的に小さい。これに対して、硬化膜層を持つ感光体の場合は、前述したように最適な先端力が０．１ｇｆ/ｍｍと比較的高い（図８参照）。そして、この最適値付近における食込み量に対する先端力の感度は高いので、一般的な食い込み量のバラツキ（±２５０μｍ）でも、先端力のバラツキが大きいので感光体の磨耗への影響が大きい。なお、例えば、回転ブラシの食い込み量が、１．５ｍｍを基準とし、３００μｍ多く食込むと先端力は約１．８倍に、５００μｍ多く食込むと先端力は３倍以上と高くなってしまい、磨耗への影響が更に大きくなる。
【００１５】
つまり、硬化膜層を有する硬い感光体においては、食込み量の（バラツキによる）ふれで、先端力が大きく変動してしまう。このため、仮に食い込み量が低い側にふれると、放電生成物の除去が十分でなくなったり、逆に高い側にふれると、感光体の磨耗が大きくなってしまったりする。よって、一般的な食い込み量のバラツキを考慮すると問題が生じる可能性がある。
【００１６】
つまり、特許文献１に記載されているような回転ブラシでは、表面層（オーバーコート層（ＯＣＬ））として硬化膜層を有する感光体への使用において、一般的な精度（部品精度や取付精度など）で構成された場合のままでは、問題が生じる可能性が高い。
【００１７】
また、他の構成として、通常の直毛のブラシ毛ではなく、捲縮処理された捲縮糸を含んだブラシ体を用い、糸の単位面積当りの本数を増やすことなくブラシ体表面の見かけ上の密度を高くした回転ブラシが提案されている（例えば、特許文献２を参照）。
【００１８】
しかし、このような回転ブラシも、特許文献１と同様に食込み量の変化に対する感光体の磨耗への影響が大きい。
【００１９】
また、静電植毛された植毛群が寝ている植毛を用いると共に、弾性体の弾性力によって感光体に押し付けて、感光体上の紙粉を除去する固定式のブラシ（クリーニング部材）が提案されている（例えば、特許文献３を参照）。
【００２０】
しかし、弾性体の歪みで静電植毛された毛が広がって寝た状態で摺擦されるため（特許文献３の図５、図６を参照）、静電植毛された毛が非常に抜けやすい。なお、静電植毛は、もともと製造上の理由で毛が抜けやすいが、このために更に抜けやすくなっている。また、特許文献３で開示されている通り、静電植毛はトナーを通しやすい特徴があり、トナーをクリーニングする用途としての使用は向いていない。
【００２１】
ここで、本明細書における回転ブラシの先端力について説明する。
【００２２】
回転ブラシの先端力とは、回転ブラシのブラシ毛が感光体（像保持体）を叩く力である。そして、回転ブラシの先端力は、つぎのようにして測定される。
【００２３】
図１０は、回転軸８０２を軸心として矢印Ｃ方向に回転する回転ブラシ８００のブラシ毛８０４の先端力を測定する測定装置９００の概略を示した概略構成図である。なお、図１０（Ａ）は回転ブラシ８００の回転軸８０２の軸方向と直交する断面の断面図を示し、図１０（Ｂ）は上面図を示している。
【００２４】
図１０に示すように、測定装置９００は、回転ブラシ８００を回転させる回転機構９０４（図１０（Ｂ））と、回転ブラシ８００におけるブラシ毛８０４に接触配置されるロードセル９０２と、を備えている。ロードセル９０２は、回転ブラシ８００の回転軸８０２の軸方向に所定幅Ｗ（図１０（Ｂ））とされている。また、ロードセル９０２は、回転軸８０２の軸方向にスライド可能とされている。更に、ブラシ毛８０４に対するロードセル９０２の食い込み量も可変とされている。
【００２５】
先端力の測定方法は、まずブラシ毛８０４に対するロードセル９０２の食い込み量を各種値に設定する。つぎに、回転ブラシ８００を回転させた状態で、ロードセル９０２を回転ブラシ８００の回転軸８０２の軸方向にスライドさせながら、設定した食い込み量におけるロードセル９０２に作用する単位幅当たりの荷重（［荷重］／［ロードセル９０２の幅Ｗ］：［ｇｆ／ｍｍ］）、すなわち先端力を測定する。また、各食い込み量において、同様にロードセル９０２に作用する単位幅当たりの荷重（先端力）を測定する。
【００２６】
このようにして、食い込み量とロードセルに作用する荷重との関係を取得し、先端力を求める。
【特許文献１】特開平４−９３９７４号公報
【特許文献２】特開２００７−１７８０４号公報
【特許文献３】特開２００７−３３８４５号公報
【発明の開示】
【発明が解決しようとする課題】
【００２７】
本発明は、上記問題を解決すべく成されたもので、像保持体表面に付着した放電生成物等の付着物の除去性能と像保持体の磨耗ライフとの両立を容易に可能とすることが目的である。
【課題を解決するための手段】
【００２８】
上記目的を達成するために請求項１に記載の画像形成装置は、回転する像保持体と、前記像保持体の表面を帯電する帯電手段と、前記帯電手段によって帯電された前記像保持体に静電潜像を形成する情報書き込み手段と、前記情報書き込み手段によって形成された静電潜像を現像剤によって可視化し、現像剤を形成する現像手段と、現像剤像を被転写体に転写させる転写手段と、前記転写手段の下流側かつ前記帯電手段の上流側に配設され、前記像保持体に押し当てられると共に回転される回転ブラシと、を有し、前記回転ブラシは、前記像保持体に接触するブラシ毛を有するブラシ層の下層に弾性体層を有することを特徴としている。
【００２９】
請求項１に記載の画像形成装置では、転写手段の下流側かつ帯電手段の上流側に回転ブラシが配設されている。この回転ブラシによって、帯電手段によって発生し、像保持体に付着した放電生生物が除去される。
【００３０】
回転ブラシは、ブラシ毛を有するブラシ層の下層に弾性体層を有しているので、ブラシ層のブラシ毛の腰よりも、弾性体層の歪みで（弾性力）によって圧接力がかけられる。つまり、ブラシ層のブラシ毛は像保持体の放電生生物を除去する掻き取り機能を主とし、弾性体層は圧接機能を主とするように、機能分離されている。よって、回転ブラシが像保持体に押し当てた食い込み量の変化に対して、圧接力の変化が抑えされる。つまり、食い込み量の変化に対する圧接力の感度が低下される。
【００３１】
したがって、像保持体表面に付着した放電生成物等の付着物の除去性能と像保持体の磨耗ライフとの両立が容易に可能とされる。
【００３２】
請求項２に記載の画像形成装置は、請求項１に記載の構成において、前記像保持体に押し当てられる前の状態における前記回転ブラシの前記ブラシ層の層厚と前記弾性体層の層厚とを合わせた総層厚をａ、前記ブラシ層のブラシ毛の高さをｂとし、前記像保持体に押し当てられた状態における前記回転ブラシのニップ部の前記ブラシ層の層厚と前記弾性体層とを合わせた総層厚をｃとすると、ｂ＜ａ−ｃであることを特徴としている。
【００３３】
請求項２に記載の画像形成装置では、像保持体に押し当てられる前の状態における回転ブラシのブラシ層の層厚と弾性体層の層厚とを合わせた総層厚をａ、ブラシ層の層厚をｂとし、像保持体に押し当てられた状態における回転ブラシのニップ部のブラシ層の層厚と弾性体層とを合わせた総層厚をｃとすると、ｂ＜ａ−ｃである。つまり、ブラシ層のブラシ毛の高さｂよりも食い込み量（ａ−ｃ）の方が大きい。
【００３４】
よって、ブラシ層のブラシ毛の腰よりも、弾性体層の歪みで（弾性力）によって、より圧接力がかけられている。つまり、ブラシ層のブラシ毛は像保持体の放電生生物等を除去する掻き取り機能をより主とし、弾性体層は圧接機能をより主とするように、機能がより分離されている。よって、回転ブラシが像保持体に押し当てた食い込み量の変化に対して、圧接力の変化がより抑えされる。つまり、食い込み量の変化に対する圧接力の感度がより低下される。
【００３５】
したがって、像保持体表面に付着した放電生成物等の付着物の除去性能と像保持体の磨耗ライフとの両立がより容易に可能とされる。
【００３６】
請求項３に記載の画像形成装置は、請求項１、又は請求項２に記載の構成において、前記回転ブラシのブラシ層におけるブラシ毛は、斜毛処理されていることを特徴としている。
【００３７】
請求項３に記載の画像形成装置では、回転ブラシのブラシ層におけるブラシ毛は、斜毛処理されているので先端力がより低下され、弾性体層の圧接機能がより主となり、更に像保持体に入る傷等もより抑制される。したがって、像保持体の磨耗ライフがより向上される。
【００３８】
請求項４に記載の画像形成装置は、請求項１、又は請求項２に記載の構成において、前記回転ブラシのブラシ層におけるブラシ毛は、捲縮処理されていることを特徴としている。
【００３９】
請求項４に記載の画像形成装置では、回転ブラシのブラシ層におけるブラシ毛は、捲縮処理されているので、先端力がより低下され、弾性体層の圧接機能がより主となり、更に像保持体に入る傷等もより抑制される。したがって、像保持体の磨耗ライフがより向上される。
【００４０】
請求項５に記載の画像形成装置は、請求項１〜請求項４のいずれか１項に記載の構成において、前記回転ブラシに接触する回収ロールを有し、前記回転ブラシは、前記像保持体に残留する残留現像剤を除去し、前記回収ロールは、前記回転ブラシによって除去された残留現像剤を回収することを特徴としている。
【００４１】
請求項５に記載の画像形成装置では、回転ブラシによって除去された現像剤を回収ロールが回収することで、像保持体から残留現像剤の回収がより効果的になされる。
【００４２】
請求項６に記載の画像形成装置は、請求項１〜請求項５のいずれか１項に記載の構成において、前記像保持体は、架橋樹脂からなる表面層を有することを特徴としている。
【００４３】
請求項６に記載の画像形成装置では、像保持体は架橋樹脂からなる表面層を有することを特徴としている。このような像保持体は、磨耗が非常に少ないため長寿命化を図ることができるが、放電生成物等の付着物の除去が困難である。
【００４４】
しかし、回転ブラシは、ブラシ層の下層に弾性体層を有しているので、ブラシ層のブラシ毛の腰よりも、弾性体層の歪みで（弾性力）によって圧接力がかけられる。つまり、ブラシ層のブラシ毛は放電生生物を除去する掻き取り機能を主とし、弾性体層は圧接機能を主とするように、機能分離される。
【００４５】
したがって、架橋樹脂からなる表面層を有する像保持体であっても、放電生成物等の付着物の除去能力と像保持体の磨耗ライフとの両立を図ること（バランスを取ること）が容易に可能とされる。
【００４６】
請求項７に記載の回転ブラシは、像保持体に押し当てられると共に回転され、前記像保持体に接触するブラシ毛を有するブラシ層の下層に弾性体層を有することを特徴としている。
【００４７】
請求項７に記載の回転ブラシでは、ブラシ毛を有するブラシ層の下層に弾性体層を有しているので、ブラシ層のブラシ毛の腰よりも、弾性体層の歪みで（弾性力）によって圧接力がかけられる。つまり、ブラシ層のブラシ毛は掻き取り機能を主とし、弾性体層は圧接機能を主とするように、機能分離される。
【００４８】
よって、回転ブラシを像保持体に押し当てた食い込み量の変化に対して、圧接力の変化が抑えされる。つまり、食い込み量の変化に対する圧接力の感度が低下される。
【００４９】
請求項８に記載の回転ブラシは、請求項７に記載の構成において、前記像保持体に押し当てられる前の状態における前記ブラシ層の層厚と前記弾性体層の層厚とを合わせた総層厚をａ、前記前記ブラシ層のブラシ毛の高さをｂとし、前記像保持体に押し当てられた後の状態におけるニップ部の前記ブラシ層の層厚と前記弾性体層とを合わせた総層厚をｃとすると、
ｂ＜ａ−ｃとして使用されることを特徴としている。
【００５０】
請求項８に記載の回転ブラシでは、像保持体に押し当てられる前の状態における回転ブラシのブラシ層の層厚と弾性体層の層厚とを合わせた総層厚をａ、ブラシ層のブラシ毛の高さをｂとし、像保持体に押し当てられた状態における回転ブラシのニップ部のブラシ層の層厚と弾性体層とを合わせた総層厚をｃとすると、ｂ＜ａ−ｃである。つまり、ブラシ層のブラシ毛の高さｂよりも食い込み量（ａ−ｃ）の方が大きい。
【００５１】
よって、ブラシ層のブラシ毛の腰よりも、弾性体層の歪みで（弾性力）によって、より圧接力がかけられている。つまり、ブラシ層のブラシ毛は掻き取り機能をより主とし、弾性体層は圧接機能をより主とするように、機能がより分離される。
【００５２】
請求項９に記載の回転ブラシは、請求項７、又は請求項８に記載の構成において、前記ブラシ層におけるブラシ毛は、斜毛処理されていることを特徴としている。
【００５３】
請求項９に記載の回転ブラシでは、ブラシ層におけるブラシ毛が斜毛処理されているので、先端力がより低下され、弾性体層の圧接機能がより主となり、更に像保持体に入る傷等もより抑制される。したがって、像保持体の磨耗ライフがより向上される。
【００５４】
請求項１０に記載の回転ブラシは、請求項７、又は請求項８に記載の構成において、前記ブラシ層におけるブラシ毛は、捲縮処理されていることを特徴としている。
【００５５】
請求項１０に記載の回転ブラシでは、ブラシ層におけるブラシ毛が捲縮処理されているので、先端力がより低下され、弾性体層の圧接機能がより主となり、更に像保持体に入る傷等もより抑制される。したがって、像保持体の磨耗ライフがより向上される。
【００５６】
請求項１１に記載の回転ブラシは、請求項７〜請求項１０のいずれか１項に記載の構成において、架橋樹脂からなる表面層を有する前記像保持体に押し当てられることを特徴としている。
【００５７】
請求項１１に記載の回転ブラシでは、架橋樹脂からなる表面層を有する像保持体に押し当てられて使用される。このような像保持体は、磨耗が非常に少ないため長寿命化を図ることができるが、その分、像保持体の表面に付着した放電生成物等の付着物の除去が困難である。
【００５８】
しかし、回転ブラシは、ブラシ層の下層に弾性体層を有しているので、ブラシ層のブラシ毛の腰よりも、弾性体層の歪みで（弾性力）によって圧接力がかけられる。つまり、ブラシ層は付着物を除去する掻き取り機能をより主とし、弾性体層は圧接機能をより主とするように、機能がより分離される。
【００５９】
したがって、架橋樹脂からなる表面層を有する像保持体であっても、放電生成物等の付着物の除去と像保持体の磨耗との両立を図ること（バランスを取ること）が容易に可能とされる。
【発明の効果】
【００６０】
以上説明したように本発明によれば、回転ブラシの食い込み量の変化に対する圧接力の変化を抑えることができるので、像保持体表面に付着した放電生成物等の付着物の除去性能と像保持体の磨耗ライフとの両立を容易に可能とすることできる、という優れた効果を有する。
【発明を実施するための最良の形態】
【００６１】
図１は、本発明の実施形態に係る画像形成装置１００の概略構成を示している。
【００６２】
画像形成装置１００は、図示しないパーソナルコンピュータ等の画像データ入力装置から送られてくるカラー画像情報に基づいて画像処理を行い、電子写真方式によって記録用紙Ｐにカラー画像を形成する。
【００６３】
画像形成装置１００には、イエロー（Ｙ）、マゼンタ（Ｍ）、シアン（Ｃ）、ブラック（Ｋ）の各色のトナー像を形成する画像形成ユニット１０Ｙ，１０Ｍ，１０Ｃ，１０Ｋを備えている。なお、以降、ＹＭＣＫを区別する必要がある場合は、符号の後にＹ、Ｍ、Ｃ、Ｋの何れかを付して説明し、ＹＭＣＫを区別する必要が無い場合は、Ｙ、Ｍ、Ｃ、Ｋを省略する。
【００６４】
画像形成ユニット１０Ｙ，１０Ｍ，１０Ｃ，１０Ｋは、バックアップロール３４と複数の張架ロール３２Ａ，３２Ｂによって張架された無端状の被転写体としての中間転写ベルト３０の進行方向（矢印Ｘ１）に対して、画像形成ユニット１０Ｙ，１０Ｍ，１０Ｃ，１０Ｋの順番で直列に配列されている。また、中間転写ベルト３０は、像担持体としてのドラム状の感光体１２Ｙ，１２Ｍ，１２Ｃ，１２Ｋと、それぞれ対向して配設される一次転写ロール１６Ｙ、１６Ｍ，１６Ｃ，１６Ｋとの間を挿通している。
【００６５】
つぎに、各画像形成ユニット１０Ｙ，１０Ｍ，１０Ｃ，１０Ｋの構成と画像形成の動作とを説明する。なお、各画像形成ユニット１０Ｙ，１０Ｍ，１０Ｃ，１０Ｋは、同様の構成であるので、Ｙ、Ｍ、Ｃ、Ｋを省略して説明する。
【００６６】
図２（Ａ）に示すように、矢印Ｘ２方向に回転される像保持体としての感光体１２が、帯電手段としてのスコロトロン帯電器５０により表面が一様に帯電される。
【００６７】
スコロトロン帯電器５０は、感光体１２側を開口側とする感光体１２の回転軸と直交する断面がコ字状のシールド５２と、シールド５２の開口側に設けられたグリッド５４と、シールド５２内に設けられ感光体１２の回転軸方向を長手方向（軸方向）とするワイヤー５６と、が主要な構成部品とされ、コロナ放電を用いて感光体１２の表面を帯電させる。
【００６８】
表面が帯電された感光体１２に対して、露光装置１４（図１参照）により各色画像に対応する像露光がなされ、感光体１２の表面に各色画像に対応する静電潜像が形成される。
【００６９】
各色画像に対応する静電潜像は、現像装置１５の現像バイアスが印加された現像ロール１８に担持された各色トナーによって現像され、各色トナー像となる。各色トナー像は、転写手段としての一次転写ロール１６の圧接力と、一次転写ロール１６に印加された転写バイアスによる静電吸引力と、によって、中間転写ベルト３０上に一次転写される。
【００７０】
そして、感光体１２の表面は、つぎの画像形成サイクルの為、スコロトロン帯電器５０で再び帯電される。
【００７１】
なお、一次転写では、各色トナー像は全て中間転写ベルト３０に転写されず、一部が転写残留トナーとして、感光体１２に残留する。感光体１２に残留した転写残留トナーのうち、プラス極性のトナーは、第一クリーナ装置２００Ａで除去され、マイナス極性のトナーは、第二クリーナ装置２００Ｂで除去される。なお、第一クリーナ装置２００Ａ及び第二クリーナ装置２００Ｂは、一次転写ロール１６の下流側かつスコロトロン帯電器５０の上流側に配設されている。また、第一クリーナ装置２００Ａ及び第二クリーナ装置２００Ｂの詳細は、後述する。
【００７２】
さて、図１に示すように、画像形成装置１００では、各画像形成ユニット１０Ｙ，１０Ｍ，１０Ｃ，１０Ｋの相対的な位置の違いを考慮したタイミングで、上述した画像形成工程が各画像形成ユニット１０Ｙ，１０Ｍ，１０Ｃ，１０Ｋにおいて行われ、中間転写ベルト３０上に、順次、Ｙ，Ｍ，Ｃ，Ｋの各色トナー像が重ねられ、フルカラートナー像が形成される。
【００７３】
そして、所定のタイミングで二次転写位置Ａへと搬送されてきた記録用紙Ｐに、転写バイアスが印加された二次転写ロール３６の静電吸引力によって、中間転写ベルト３０からフルカラートナー像が一括して、記録用紙Ｐに転写される。
【００７４】
フルカラートナー像が転写された記録用紙Ｐは、中間転写ベルト３０から分離した後、定着装置３１へと搬送され、熱と圧力とによりフルカラートナー像が記録用紙Ｐに定着する。
【００７５】
記録用紙Ｐに転写されなかった中間転写ベルト３０上の転写残留トナーは、感光体１２に再転写されたのち、前述した第一クリーナ装置２００Ａ及び第二クリーナ装置２００Ｂ回収される。
【００７６】
つぎに、画像形成装置１００における主要部材の仕様及び主要な電気仕様を下記に記す。なお、電流値における「＋」「−」の表示は、印加する電圧の極性を表している。
【００７７】
感光体１２：ドラムの直径が約８４ｍｍ
表面層（オーバーコート層（ＯＣＬ））として架橋樹脂からなる硬化膜層を有する有機感光体（詳細については後述する）
帯電電位（背景部電位）：−７００ｖ
露光後電位（画像部電位）：−３００ｖ
プロセス速度：４２０ｍｍ／秒
現像方式：乾式二成分現像方式
スコロトロン帯電器５０：ワイヤー電流：−９４５μＡ
グリッド電圧：−７２０ｖ
露光装置１４：レーザ波長：７８０ｎｍ（光走査装置）
現像ロール１８：直径：１６．０ｍｍ
回転速度：８００ｍｍ／秒
現像バイアス：ＶＤＣ＝−６８０ｖ
Ｖｐｐ＝０．７ｋｖ（矩形波振動成分電圧値(Ｐｅａｋ ｔｏ Ｐｅａｋ)）、Ｄｕｔｙ：６５％
周波数＝６ｋＨｚ（矩形波電圧波形）
現像ギャップ（感光体１２と現像ロール１８との間隔）：約０．３ｍｍ
中間転写ベルト３０：ポリイミド製
一次転写ロール１６：転写バイアス電流：＋４０μＡ
二次転写ロール３６：転写バイアス電圧：＋１６００ｖ。
【００７８】
つぎに、第一クリーナ装置２００Ａ及び第二クリーナ装置２００Ｂの詳細について説明する。なお、第一クリーナ装置２００Ａと第二クリーナ装置２００Ｂとは、印加する電圧（詳細は後述する）以外は同様の構成である。よって、第一クリーナ装置２００Ａを代表して説明する。
【００７９】
図２（Ａ）に示すように、第一クリーナ装置２００Ａは、回転ブラシ２１０Ａと回収ロール２０２Ａと有している。回転ブラシ２１０は、感光体１２の回転軸と平行に配置された金属製のシャフト２１２Ａの上に導電性を有するスポンジやゴムなどの弾性体層２１４Ａを設け、この弾性体層２１４Ａの上にパイル織りされた導電性を有するレース２２０（図３（Ａ）参照）をスパイラル状に捲くことでブラシ層２１６Ａが形成されている。なお、ブラシ層２１６Ａのブラシ毛２１８Ａは、熱や機械的な圧力による斜毛処理が成され斜毛されている（図３も参照）。また、ブラシ層２１６Ａは導電性を有する。
【００８０】
回転ブラシ２１０Ａは、感光体１２に押し当てられている。なお、図３（Ｂ）に示すように、感光体１２に押し当てる前におけるブラシ層２１６Ａと弾性体層２１４Ａとを合わせた総層厚をａ、ブラシ層２１６Ａのブラシ毛２１８Ａの高さをｂとし、また、図２（Ｂ）に示すように、感光体１２に押し当てた後におけるニップ部のブラシ層２１６Ａと弾性体層２１４Ａとを合わせた総層厚をｃとすると、食い込み量は、（ａ−ｃ）となる。そして、ｂ＜ａ−ｃ、となるように押し当てられている。つまり、ブラシ層２１６Ａのブラシ毛２１８Ａの高さｂよりも食い込み量（ａ−ｃ）は大きく設定されている。
【００８１】
また、回転ブラシ２１０Ａには、表層がカーボンブラックを分散させて抵抗値を調整したフェノール樹脂からなる回収ロール２０２Ａが接触され、回収ロール２０２Ａにはスクレーパ２０４Ｂが接触されている。
【００８２】
なお、回収ロール２０２Ａには、例えば、アルミニウム合金やステンレス合金鋼等の金属ロールに、スクレーパとの摺動を円滑に行なうためのフッ素樹脂等（例えば、テフロン（登録商標））の被膜を形成したもの等も用いることもできる。なお、このような構成は、一例であり、システムに応じて適宜選択できる。
【００８３】
そして、回転ブラシ２１０Ａには、＋２６０ｖが印加され、回収ロール２０２Ａには、＋６６０ｖが印加されている。
【００８４】
なお、本実施形態においては、回収ブラシ２１０Ａのシャフト２１２Ａの径は６ｍｍとされている。また、弾性体層２１４Ａとしては、(株)ＩＮＯＡＣ Ｃｏｒｐｏｒａｔｉｏｎ製の発泡ポリウレタンスポンジを使用した。抵抗は６ｌｏｇΩ、弾性体層２１４Ａを形成した状態（ブラシ層２１６を形成する前）における外径は、１０ｍｍとされている。
【００８５】
また、ブラシ層２１６のブラシ毛２１８はＫＢセーレン（株）製のＣ.Ｂ分散ナイロン（登録商標）の導電糸で、割繊繊維を使用した。また、アルカリ溶液により割繊した後０．５ｄ（２４８Ｔ／４５０Ｆ）の太さのものである。（割繊前は３７０Ｔ/５０Ｆ）。そして、この繊維をパイル織りし、幅１５ｍｍのレース２２２（図６（Ａ）を参照）を作成する。パイル密度は４８６Ｋｆ/ｉｎｃｈ２でブラシ毛４１８の長さ（パイル長）は、この時点では２ｍｍであった。基布２１９（図３（Ａ）も参照）の厚みが約１ｍｍである。このレース２２２を一定の熱と圧力をかけ、高さが０．５ｍｍになるように斜毛処理し、図３（Ａ）に示す、基布２１９を有するレース２２０とされる。
【００８６】
そして、前述したように、弾性体層２１４上に斜毛後のレース２２０（図３（Ａ）参照）をスパイラル状に巻き両面テープで接着した。その結果、最終的な回転ブラシ２１０の外径（直径）は１３ｍｍであった（図３（Ｂ）も参照）。
【００８７】
したがって、本実施形態においては、感光体１２に押し当てる前におけるブラシ層２１６と弾性体層２１４とを合わせた総層厚ａは６．５ｍｍであり、ブラシ層２１６のブラシ毛２１８の高さｂは０．５ｍｍである（ブラシ層厚１．５ｍｍ＝基布１．０ｍｍ＋ブラシ毛の高さｂ０．５ｍｍ）。よって、本実施形態においては、押し付け後のニップ部の総層厚ｃが６ｍｍ未満、すなわち、食い込み量が０．５ｍｍより大きいとされる。
【００８８】
なお、本実施形態では弾性体層２１４上に捲く前のレース２２２（図６（Ａ）参照）の状態で斜毛処理したが、弾性体層２１４にブラシ状に巻いた後に斜毛処理を行ってもよい。
【００８９】
また、回転ブラシ２１０を、このような構成及び製造方法とすることで、ブラシ毛２１８に毛抜けの発生が、例えば、静電植毛と比べ、抑えられる。
【００９０】
なお、本実施形態においては、特に導電処理されていない通常の両面テープで、弾性体層２１４上にレース２２０（図３（Ａ）参照）を接着したが、このような方法でもシャフト２１２の端部から電圧を印加することでブラシ層２１６にまで通電された。しかし、導電性を有する接着剤等で弾性体層２１４にレース２２０を接着すると、より効率的にブラシ層２１６に通電される。
【００９１】
第二クリーナ装置２００Ｂは、前述したように、印加する電圧以外は同様の構成であるので、説明を省略する。つまり、第一クリーナ装置２００Ａとは符号の後にＢを付しただけである。なお、以降、回転ブラシ２１０Ａと回転ブラシ２１０Ｂとを区別する必要がない場合は、Ａ，Ｂを省略することがある。
【００９２】
また、感光体１２に押し当てる前におけるブラシ層２１６Ｂと弾性体層２１４Ｂとを合わせた総層厚ａ、ブラシ層２１６Ｂのブラシ毛２１８Ｂの高さｂ、感光体１２に押し当てた後におけるニップ部の総層厚ｃ、とすると、ｂ＜ａ−ｃ、となるように押し当てられる構成も同一である。
【００９３】
そして、回転ブラシ２１０Ｂには、−４００ｖが印加され、回収ロール２０２Ｂには−８００ｖが印加されている。
【００９４】
なお、回転ブラシ２１０Ａ、Ｂともに、食い込み量（ａ−ｃ）のバラツキは、一般的な精度（部品精度や取付精度など）で構成された場合と同様に、±２５０μｍ程度生じる。
【００９５】
つぎに、第一クリーナ装置２００Ａ及び第二クリーナ装置２００Ｂにける転写残留トナーの除去（クリーニング）について説明する。
【００９６】
感光体１２上のマイナス極性のトナーは、第一クリーナ装置２００Ａの、＋２６０Ｖが印加された回転ブラシ２１０Ａで除去される。回転ブラシ２１０Ａが除去したマイナス極性のトナーは、＋６６０ｖが印加された回収ロール２０２Ａに移動されたのち、スクレーパ２０４Ａで掻き落とされる。掻き落とされたトナーは廃トナーケース（図示略）に貯留される。
【００９７】
また、感光体１２上のプラス極性のトナーは、第二クリーナ装置２００Ｂの−４００Ｖが印加された回転ブラシ２１０Ｂで除去される。回転ブラシ２１０Ｂが除去したプラス極性のトナーは、−８００ｖが印加された回収ロール２０２Ｂに移動されたのち、スクレーパ２０４Ｂで掻き落とされる。掻き落とされたトナーは廃トナーケース（図示略）に貯留される。
【００９８】
つぎに、本実施形態の作用について説明する。
【００９９】
図４は、本実施形態の回転ブラシ２１０Ａ，Ｂ（図２、図３（Ｂ）参照）と比較例の回転ブラシ（弾性体層無し、ブラシ層のみ、斜毛処理無し）とにおける、食込み量と圧接力との関係を示したグラフである。なお、比較例の回転ブラシは、図９のグラフにおける４８６Ｋｆ/ｉｎｃｈ2、０．５ｄ、ＰＨ２．５ｍｍと同様の回転ブラシである。
【０１００】
また、感光体の磨耗レートがおよそ２〜３ｎｍ/Ｋｃｙｃとなる圧接力を１として規格化してある。よって、図４のグラフにおける圧接力（規格化圧接力）の絶対値自体は、本実施形態の回転ブラシ２１０Ａ，Ｂと比較例の回転ブラシとでは異なる。
【０１０１】
この図４のグラフを見ると判るように、比較例の回転ブラシは、食い込み量が小さいときは、食い込み量を大きくしても規格化圧接力は余り大きくならないが、食い込み量が大きくなるにつれて、食い込み量が少し大きくなるだけで規格化圧接力が非常に大きくなる。つまり、食い込み量が小さいときは、食い込み量に対する規格化圧接力の感度が低く、食い込み量が大きくなるにつれて、食い込み量に対する規格化圧接力の感度が大きくなる。
【０１０２】
これに対して、本実施形態の回転ブラシ２１０Ａ，Ｂは、略直線的に規格化圧接力が大きくなっている。しかも、その角度も緩やかである。つまり、食い込み量に対する規格化圧接力の感度が低く、且つ一定である。
【０１０３】
これは、回転ブラシ２１０は、ブラシ層２１６のブラシ毛２１８の腰の力を利用して圧接力をかけるのではなく、弾性体層２１４の歪みで（弾性力）で圧接力をかけるような構成となっているからである。つまり、ブラシ層２１６のブラシ毛２１８は掻き取り機能を主とし、弾性体層２１４は圧接機能を主とするように、機能分離させている。
【０１０４】
さて、本実施形態においては、コロナ放電を用いたスコロトロン帯電器５０（図１参照）によって感光体１２を帯電させている。よって、多量の放電生成物が感光体１２の表面に付着する。放電生成物が感光体１２に付着すると、高温高湿環境において画像の白抜け（Ｄｅｌｅｔｉｏｎ）発生するなどの不具合が発生することがある。
【０１０５】
しかし、本実施形態においては、第一クリーナ装置２００の回転ブラシ２１０Ａと第二クリーナ装置２００Ｂの回転ブラシ２１０Ｂとが、付着した放電生成物を除去し、高温高湿環境において画像の白抜け（Ｄｅｌｅｔｉｏｎ）などの不具合の発生を防止している。つまり、第一クリーナ装置２００Ａの回転ブラシ２１０Ａと第二クリーナ装置２００Ｂの回転ブラシ２１０Ｂは、転写残留トナーの除去に加え、放電生成物を除去する機能も有している。
【０１０６】
ここで、本実施形態の回転ブラシ２１０Ａ、Ｂを備える構成と、回転ブラシ２１０Ａ、Ｂの代わりに、それぞれ上述した比較例の回転ブラシ（弾性体層無し、ブラシ層のみ、斜毛処理無し）を備える構成とで、５万枚の通紙テストを実施し、感光体の磨耗とＤｅｌｅｔｉｏｎ レベル（Ｇ０：未発生←→Ｇ５：真っ白に抜ける）を評価した。なお、下記の条件で行なった。
【０１０７】
比較例の回転ブラシの食込み量
１．５ｍｍ、１．７５ｍｍ、２ｍｍの三水準
本実施形態の回転ブラシ２１０Ａ，Ｂの食込み量
０．７５ｍｍ、１．０ｍｍ、１．２５ｍｍの三水準。
【０１０８】
その結果、本実施形態の回転ブラシ２１０Ａ，Ｂを備える構成では、磨耗レートはそれぞれ、０．７５ｍｍで２ｎｍ/ｋｃｙｃ、１．０ｍｍで３ｎｍ/Ｋｃｙｃ、１．２５ｍｍで４ｎｍ/Ｋｃｙｃであり、Ｄｅｌｅｔｉｏｎ レベルはいずれもＧ０（未発生）であった。よって、最適な食い込み量１．０ｍｍに対してバラツキ±０．２５ｍｍを許容できる。したがって、一般的な精度（部品精度や取付精度など）で構成された場合における食い込み量のバラツキ、±２５０μｍを考慮しても、問題が生じない結果となった。これは、前述したように、食込み量の変化に対する圧接力の変化が略リニア（直線的）であり、しかも小さいためであると考えられる（図４参照）。
【０１０９】
これに対して比較例の回転ブラシでは、磨耗レートは、それぞれ、１．５ｍｍで１．５ｎｍ/Ｋｃｙｃと少ないが、Ｄｅｌｅｔｉｏｎ レベルはＧ１であり、白抜けが発生した。１．７５ｍｍでは、Ｄｅｌｅｔｉｏｎ レベルはＧ０（未発生）であり、磨耗レートも３ｎｍ/ｋｃｙｃと良好であった。しかし、２．０ｍｍでは、Ｄｅｌｅｔｉｏｎ レベルはＧ０だが、磨耗レート８ｎｍ/Ｋｃｙｃと大きく増加してしまった。つまり、最適な食い込み量１．７５ｍｍに対して、バラツキ±２５０μｍを許容できない。したがって、一般的な精度で構成された場合における食い込み量のバラツキ、±２５０μｍを考慮すると、問題が生じる場合もあることが考えられる結果となった。これは、食い込み量の値が大きく、食い込む量の変化に対する圧接力の変化が大きいことが、結果に反映されたためと考えられる（図４参照）。
【０１１０】
前述したように、これは本実施形態の回転ブラシ２１０Ａ，２１０Ｂを用いると、ブラシ層２１６のブラシ毛２１８の腰の力を利用して圧接力をかけるのではなく、弾性体層２１４の歪み（弾性力）で圧接力をかけるようにしているからである。つまり、ブラシ層２１６のブラシ毛２１８は放電生成物の除去（掻き取り）機能を主とし、弾性体層２１４は圧接機能を主とするように、機能分離させているからである。
【０１１１】
このため食い込み量に対する先端力（回転ブラシのブラシ毛が感光体（像保持体）を叩く力）の感度を低くすることができ、表面層（オーバーコート層（ＯＣＬ））に硬化膜層を有する感光体１２であっても、食い込み量のバラツキを従来よりも特に抑えることなく（一般的な精度で構成されていても）、磨耗とＤｅｌｅｔｉｏｎの防止とを両立させることができる結果が得られる。
【０１１２】
このように、感光体１２の表面に付着した放電生成物の除去性能と像保持体の磨耗ライフとの両立が容易に可能とされる）。更に、ブラシ層２１６のブラシ毛２１８がへたっても、感光体１２への圧接力の変化が少ないので、放電生成物の除去性能が長期に渡って維持される。
【０１１３】
また、回転ブラシ２１０のブラシ毛２１８の毛抜けによる画像ディフェクトや巻き目でのクリーニング不良も、同時に防止又は抑制される。
【０１１４】
なお、ブラシ毛が直毛のままだと回転ブラシと感光体のニップ部に入るところで、ブラシ毛が感光体の表面を叩き、感光体の表面に入る傷がひどくなったり、ブラシ毛の腰の力（先端力）の分だけ磨耗が促進されてしまったりすることも考えられる。よって、本実施形態の回転ブラシ２１０Ａ，Ｂのように、熱や機械的な力によりブラシ毛を寝かせた斜毛処理を施した方が望ましい。こうすることで、ブラシ毛２１８が寝ているので先端力はほとんど生じなくなり、より弾性体層２１４の歪のみで圧接力をかけられる。
【０１１５】
なお、使用後にブラシ毛がすぐに寝てしまう場合もあるので、必ずしも斜毛処理する必要はない。具体的には、斜毛処理する前の、図６（Ａ）に示すレース２２２を、弾性体層２１４にスパイラル状に捲きたブラシ層４１６を有する回転ブラシ４１０であってもよい。
【０１１６】
つぎに、回転ブラシの他の例について説明する。
【０１１７】
図５（Ｂ）に示すように、回転ブラシ３１０は、捲縮処理されたブラシ毛３１８を使用している。回転ブラシ３１０は、図５（Ａ）に示すように、導電性のナイロン（登録商標）繊維を熱と物理的な力でカールさせる処理をし、それを１５ｍｍ幅にパイル織りされ、最終的に捲縮処理されたブラシ毛３１８を有するレース３２０を作成する。なお、基布３１９の厚みは１ｍｍで、捲縮処理された後のブラシ毛の高さは約５ｍｍである。
【０１１８】
これを回転ブラシ２１０Ａ，Ｂと同様に、弾性体層２１４にスパイラル状に巻いて、ブラシを回転させながらシャーリングして外径を１３ｍｍにした。すなわち、基布の厚みが１ｍｍなのでブラシ毛の高さｂは０．５ｍｍであった。そして、上述した実験と同様に食込み量０．７〜１．２５ｍｍで行ったところ、０．７ｍｍでは、磨耗レートが３ｎｍ/Ｋｃｙｃで、ＤｅｌｅｔｉｏｎレベルがＧ０であり、１．２５ｍｍでは、4.５ｎｍ/Ｋｃｙｃ、ＤｅｌｅｔｉｏｎレベルがＧ０であり、いずれも良好な結果であった。
【０１１９】
なお、本発明は上記実施形態に限定されない。
【０１２０】
例えば、上記実施形態では、感光体１２（像保持体）に付着した放電生成物の除去性能（と感光体１２（像保持体）の磨耗ライフとの両立）について説明したが、放電生成物以外の付着物の除去性能に関しても同様に本発明を適用できる。例えば、トナーや二成分現像剤中のキャリア、紙紛などの除去性能に関しても同様に本発明を適用できる。
【０１２１】
また、例えば、上記実施形態では、本発明が適用された第一クリーナ装置２００Ａと第二クリーナ装置２００Ｂとの二つを備えた構成であったが、これに限定されない。いずれか一方のみを備える構成の画像形成装置であってもよい。
【０１２２】
また、上記実施形態においては、像保持体として、表面層（オーバーコート層（ＯＣＬ））として硬化膜層を有する感光体１２を用いていたが、これに限定されない。表面層（オーバーコート層（ＯＣＬ））として硬化膜層を有しない感光体（像保持体）であってもよい。或いは、有機感光体（ＯＰＣ）以外の感光体、例えば、所謂、アモルファスシリコン製の感光体であってもよい。なお、アモルファスシリコン製の感光体も表面層が硬いので、硬化膜層を有する感光体１２と同様に、最適な先端力が比較的高くなると思われるので、本発明を適用することは好適である。
【０１２３】
なお、上記実施形態では、本発明が適用された回転ブラシ２１０Ａ，Ｂの使用例として、転写手段（一次転写転写ロール１６）の下流側かつ帯電手段（スコロトロン帯電器５０）の上流側に配設された転写残留トナーを除去するクリーニング装置に適用したが、これに限定されない。
【０１２４】
電子写真方式によって記録用紙Ｐなどの記録媒体に画像を形成する画像形成装置で使用されている従来の回転ブラシに代えて、本発明が適用された回転ブラシを用いることができる。
【０１２５】
例えば、転写手段の下流側かつ帯電手段の上流側に配設され、像保持体に残留した残留現像剤を所定の極性に帯電して下流側に送る残留現像剤帯電手段等にも、本発明が適用された回転ブラシを用いることができる。或いは、像保持体の表面を帯電させる帯電手段にも本発明が適用された回転ブラシを使用できる。
【０１２６】
また、上記実施形態で説明した画像形成装置１００の構成（図１参照。）、画像形成ユニット１０Ｙ，１０Ｍ，１０Ｃ，１０Ｋの構成（図２参照）等は、一例であり、本発明の主旨を逸脱しない範囲内において適宜変更可能であることは言うまでもない。
【０１２７】
例えば、上記実施形態では、画像形成ユニット１０Ｙ、１０Ｍ、１０Ｃ、１０Ｋを備えており、当該画像形成ユニット１０Ｙ、１０Ｍ、１０Ｃ、１０Ｋが中間転写体ベルト３０に面して並列に配置され、中間転写体ベルト３０が１周する間に４色のトナー像を重ね合せる、いわゆるタンデム式のフルカラープリンタであったがこれに限定されない。例えば、シアン、マゼンタ、イエロー、ブラックの各色に対応した現像器を円周上に配置したロータリー現像装置を備え、このロータリー現像装置を回転させることにより現像器を順次切り換えて、各色に対応した静電潜像が形成された感光体（像保持体）と対向させ、対応するカラートナーにより現像する所謂ロータリー現像方式を用いたフルカラープリンタであってもよい。或いは、フルカラープリンタでなく、モノクロプリンターであってもよい。
【０１２８】
また、例えば、上記実施形態では、被転写材は中間転写ベルト３０であったがこれに限定されない。例えば、直接、感光体１２（像保持体）から記録用紙Ｐに転写される構成の画像形成装置であってもよい。なお、このような構成の場合は、被転写体は記録用紙Ｐとなる。
【０１２９】
つぎに表面層（オーバーコート層（ＯＣＬ））として硬化膜層を有する感光体１２の例について説明する。
【０１３０】
＜感光体例１（シロキサン系樹脂）＞
［感光体Ａ］
酸化亜鉛（ＳＭＺ-017Ｎ：テイカ製）１００重量部をトルエン５００重量部と攪拌混合し、シランカップリング剤（Ａ１１００：日本ユニカー社製）２重量部を添加し、５時間攪拌した。その後トルエンを減圧蒸留にて留去し、１２０℃で２時間焼き付けを行った。得られた表面処理酸化亜鉛を蛍光Ｘ線により分析した結果、Ｓｉ元素強度は亜鉛元素強度の1.8×10-4であった。
【０１３１】
前記表面処理を施した酸化亜鉛３５重量部と、硬化剤 ブロック化イソシアネート スミジュール3175)(住友バイエルンウレタン社製) ：１５重量部とブチラール樹脂 ＢＭ-1 (積水化学社製) ：６重量部と、メチルエチルケトン ：４４重量部と、を混合し、１ｍｍφのガラスビーズを用いてサンドミルにて２時間の分散を行い、分散液を得た。
【０１３２】
得られた分散液に触媒として、ジオクチルスズジラウレート：0.005重量部、トスパール130（ＧＥ東芝シリコン社製）：１７重量部を添加し、下引層塗布用液を得た。この塗布液を浸漬塗布法にてAl基材上に塗布し、１６０℃、１００分の乾燥硬化を行い厚さ２０μmの下引層を得た。表面粗さは、東京精密社製表面粗さ形状測定器サーフコム５７０Ａを使用し、測定距離２．５ｍｍ、走査速度０．３ｍｍ／ｓｅｃで測定した結果、Ｒｚ値０．２４であった。
【０１３３】
ついで、その上にこのアルミニウム基材上にＸ線回折スペクトルにおけるブラッグ角 （2θ±0.2°） が、7.5°、9.9°、12.5°、16.3° 、18.6°、25.1°、28.3°に強い回折ピークを持つヒドロキシガリウムフタロシアニンの１部をポリビニルブチラール（エスレックBM-S、積水化学） １部、及び酢酸n-ブチル100部と混合し、ガラスビーズとともにペイントシェーカーで1時間処理して分散した後、得られた塗布液を前記下引き層上に浸漬コートし、100℃で10分間加熱乾燥して膜厚約0.15μmの電荷発生層を形成した。
【０１３４】
下記構造のベンジジン化合物2部、高分子化合物 (粘度平均分子量 39,000) 3部をクロロベンゼン20部に溶解させた塗布液を前記電荷発生層上に浸漬コーティング法で塗布し、110℃、40分の加熱を行なって膜厚22μmの電荷輸送層を形成した。
【０１３５】
【化１】
2008309847.tif 000003
【０１３６】
［感光体Ｂ］
感光体Ａ上に下記に示す構成材料を、メチルアルコール5部、イオン交換樹脂（アンバーリスト15E） 0.3部を加え、室温で攪拌することにより24時間保護基の交換反応を行った。
【０１３７】
構成材料
化合物１（化２）                                                          ２部
化合物２（化３）                                                          １部
コロイダルシリカ                                                      ０．３部
Me(MeO)2−Si−(CH2)4−Si−Me(OMe)2                                        ２部
(ヘプタデカフルオロ-1,1,2,2-テトラヒドロデシル)メチルジメトキシシラン  ０．１部
ヘキサメチルシクロトリシロキサン                                      ０．３部
ZX-022（富士化成工業社製）                                          ０．２５部
【０１３８】
【化２】
2008309847.tif 000004
【０１３９】
【化３】
2008309847.tif 000005
【０１４０】
その後、n-ブタノール10部、蒸留水0.25部を添加し、5分加水分解を行なった。
【０１４１】
加水分解したものからイオン交換樹脂を濾過分離した液に対し、アルミニウムトリスアセチルアセトナート（Al(aqaq)3）を0.1部、アセチルアセトン0.1部、3,5-ジ-t-ブチル-4-ヒドロキシトルエン(BHT)0.4部を加え、このコーティング液を前記電荷輸送層の上にリング型浸漬塗布法により塗布し、室温で30分風乾した後、130℃で1時間加熱処理して硬化し、膜厚約3umの表面層を形成した。
【０１４２】
＜感光体例２（フェノール誘導体）＞
感光体例１において、電子写真感光体の表面層の形成におけるコーティング液を下記構成材料をブタノール７５部に溶解させたものに変更して、膜厚約６μｍの表面層を形成したこと以外は、感光例１と同様である。
【０１４３】
［構成材料］
・化合物２（化３）：１３質量部
・フェノール樹脂：１３質量部（群栄化学  ＰＬ４８５２）
・ハジキ防止剤：０．１質量部
【０１４４】
【化３】
2008309847.tif 000006
【図面の簡単な説明】
【０１４５】
【図１】本発明の実施形態に係る画像形成装置の全体構成を示す図である。
【図２】（Ａ）は本発明の実施形態に係る画像形成ユニットの詳細な構成を示す図であり、（Ｂ）は回転ブラシ近傍の拡大図である。
【図３】（Ａ）は回転ブラシを構成するブラシ毛が斜毛された状態のレースを示す斜視図であり、（Ｂ）は回転ブラシの軸方向に直交する断面の断面図である。
【図４】本実施形態の回転ブラシと比較例の回転ブラシ（弾性体層無し、ブラシ層のみ、斜毛処理無し）とにおける食込み量と圧接力との関係を示したグラフである。
【図５】（Ａ）はブラシ毛が捲縮された状態のレースを示す斜視図であり、（Ｂ）はブラシ毛が捲縮された回転ブラシの軸方向に直交する断面の断面図である。
【図６】（Ａ）はブラシ毛が直毛状態のレースを示す斜視図であり、（Ｂ）はブラシ毛が直毛の回転ブラシの軸方向に直交する断面の断面図である。
【図７】硬化膜層を有しない感光体における従来の回転ブラシの先端力とＤｅｌｅｔｉｏｎ  レベル及び感光体の磨耗レートとの関係を示すグラフである。
【図８】硬化膜層を有する感光体における従来の回転ブラシの先端力とＤｅｌｅｔｉｏｎ  レベル及び感光体の磨耗レートとの関係を示すグラフである。
【図９】従来の回転ブラシにおける食込み量と先端力との関係を示すグラフである。
【図１０】回転ブラシの先端力を測定する測定装置を模式的に示す、（Ａ）は回転軸と直交する断面の断面図であり、（Ｂ）は上面図である。
【符号の説明】
【０１４６】
１２      感光体（像保持体）
１４      露光装置（情報書き込み手段）
１５      現像器（現像手段）
１６      一次転写ロール（転写手段）
５０      スコロトロン帯電器（帯電手段）
１００      画像形成装置
２０２Ａ    回収ロール
２０２Ｂ    回収ロール
２１０Ａ    回転ブラシ
２１０Ｂ    回転ブラシ
２１２Ａ    シャフト
２１２Ｂ    シャフト
２１４Ａ    弾性体層
２１４Ｂ    弾性体層
２１６Ａ    ブラシ層
２１６Ｂ    ブラシ層
２１８Ａ    ブラシ毛
２１８Ｂ    ブラシ毛
【図１】
2008309847.tif 000007
【図２】
2008309847.tif 000008
【図３】
2008309847.tif 000009
【図４】
2008309847.tif 000010
【図５】
2008309847.tif 000011
【図６】
2008309847.tif 000012
【図７】
2008309847.tif 000013
【図８】
2008309847.tif 000014
【図９】
2008309847.tif 000015
【図１０】
2008309847.tif 000016